(57)【要約】      （修正有）【課題】燃料を燃やして高温に曝されても、扉を閉じた状態で維持することのできる焚き火台を提供する。【解決手段】本発明の焚き火台は、燃焼室に通じる開口部を備えた外周壁３と、開口部を開閉する扉４とを備え、外周壁３は、第一孔３ｄと、第一孔３ｄよりも上方に設けられる第二孔３ｅとを備え、扉４は、第一孔３ｄに挿入されて扉４を外周壁３に対して上下方向に揺動可能に支持する支持片４ｃと、下方を解放するとともに扉４を閉めた際に第一孔３ｄの縁部に差し込み可能になる扉側スリット４ｅと、扉４を閉じた際に第二孔３ｅに差し込まれるとともに扉側スリット４ｅが第一孔３ｄの縁部に差し込まれると第二孔３ｅの縁部に引っ掛かるフック４ｂとを備えるものである。【選択図】図６
2018179324.tif 000002
【特許請求の範囲】
【請求項１】
燃焼室を形成するとともに該燃焼室に通じる開口部を備えた外周壁と、該開口部を開閉する扉と備える焚き火台であって、
前記外周壁は、該外周壁を貫く第一孔と、該第一孔よりも上方に設けられる第二孔とを備え、
前記扉は、前記第一孔に挿入されて該扉を前記外周壁に対して上下方向に揺動可能に支持する支持片と、下方を解放するとともに該扉を閉めた際に該第一孔の縁部に差し込み可能になる扉側スリットと、該扉を閉じた際に前記第二孔に差し込まれるとともに該扉側スリットが該第一孔の縁部に差し込まれると該第二孔の縁部に引っ掛かるフックとを備える焚き火台。
【請求項２】
前記外周壁は、前記開口部の下方に設けられ前記燃焼室に通じる風孔と、前記第二孔よりも上方に設けられて前記フックを差し込み可能な第三孔とを備え、差し込まれた該フックが該第三孔の縁部に引っ掛かることで該風孔が開いた状態で該扉が保持される請求項１に記載の焚き火台。
【請求項３】
前記外周壁は、前記燃焼室を挟んで前記開口部に対向して設けられ、上方に向けて開口する煙突部を有する請求項１又は２に記載の焚き火台。
【発明の詳細な説明】
【技術分野】
【０００１】
本発明は、屋外で焚き火をするのに好適な焚き火台に関するものである。
【背景技術】
【０００２】
屋外でバーベキューや鍋料理等を行う際に好適なものとして、携帯可能なコンロが使用されている。例えば特許文献１には、折り畳んで持ち運ぶことが可能であり、組み立てると箱形になって内側に燃焼室が形成されるコンロが示されている。特許文献１のコンロにおいては、燃焼室を形成する外周壁に回転軸を中心として回動する扉が設けられていて、コンロの上部に鍋や食材を置いて調理をしている最中でも、この扉を開く事によって燃焼室内に燃料を補給することができる、としている。
【０００３】
しかし、燃料を燃やすと高温に曝されて熱膨張による変形が生じるため、この種の回転機構は次第に動作不良が起こりやすくなる。特に、携帯を目的として薄い金属板を使用する場合にあっては、このような変形が顕著になるため動作不良につながりやすく、耐久性が低いという問題を抱えている。
【０００４】
このような問題に対し、本件出願人は、下記の特許文献２に示した焚き火台を提案している。この焚き火台においては、扉が回転軸を中心に回動するものではなく、扉の両側に設けた挿入部が開口側スリットを出入するものであるため、熱膨張によって板材が多少変形しても扉の開閉動作に影響が及ぶことがない。このため、薄い金属板を使用しても扉の動作を良好な状態で維持することが可能である。
【先行技術文献】
【特許文献】
【０００５】
【特許文献１】特開２００３−８８４７６号公報
【特許文献２】特許第５４２８０８８号公報
【発明の概要】
【発明が解決しようとする課題】
【０００６】
ところで、特許文献２の焚き火台では、下方を解放した扉側スリットを挿入部に設け、扉を閉じた際には、扉側スリットと開口側スリットとが互いに差し込まれるようにして嵌め込まれ、これにより扉が閉じた状態で維持されるように構成している。しかし、熱膨張による変形が挿入部におよぶと、扉側スリットの開口幅が徐々に広がることがあり、扉を閉めても若干開いた状態になることがあった。
【０００７】
本発明はこのような問題点を解決することを課題とするものであり、携帯性にすぐれるとともに調理中であっても燃料室内に燃料を補給することが可能であって、しかも、燃料を燃やして高温に曝されても扉を閉じた状態で維持することのできる耐久性の高い焚き火台を提供することを目的とする。
【課題を解決するための手段】
【０００８】
本発明は、燃焼室を形成するとともに該燃焼室に通じる開口部を備えた外周壁と、該開口部を開閉する扉と備える焚き火台であって、前記外周壁は、該外周壁を貫く第一孔と、該第一孔よりも上方に設けられる第二孔とを備え、前記扉は、前記第一孔に挿入されて該扉を前記外周壁に対して上下方向に揺動可能に支持する支持片と、下方を解放するとともに該扉を閉めた際に該第一孔の縁部に差し込み可能になる扉側スリットと、該扉を閉じた際に前記第二孔に差し込まれるとともに該扉側スリットが該第一孔の縁部に差し込まれると該第二孔の縁部に引っ掛かるフックとを備えるものである。
【０００９】
上記焚き火台において、前記外周壁は、前記開口部の下方に設けられ前記燃焼室に通じる風孔と、前記第二孔よりも上方に設けられて前記フックを差し込み可能な第三孔とを備え、差し込まれた該フックが該第三孔の縁部に引っ掛かることで該風孔が開いた状態で該扉が保持されることが好ましい。
【００１０】
また上記焚き火台において、前記外周壁は、前記燃焼室を挟んで前記開口部に対向して設けられ、上方に向けて開口する煙突部を有することが好ましい。
【発明の効果】
【００１１】
本発明の焚き火台にあっては、外周壁に、扉を揺動可能に支持する支持片が挿入される第一孔と、第一孔よりも上方に設けられる第二孔を設けている。そして、扉を閉めた際に扉のフックが第二孔に差し込まれ、更に、扉を持っていた手を離して扉が自重で下方に移動すると、下方を解放した扉側スリットが第一孔の縁部に差し込まれ、またフックが第二孔の縁部に引っ掛かるように構成している。すなわち閉じた扉の下部は、扉側スリットと第一孔の縁部が互いに嵌め合わされて固定され、扉の上部は、フックが第二孔の縁部に引っ掛かって固定されるため、燃料を燃やして高温に曝されることがあっても扉を閉じた状態で維持することができ、高い耐久性を得ることが可能である。
【００１２】
また外周壁に、開口部の下方において燃焼室に通じる風孔を設け、第二孔よりも上方においてフックを差し込み可能な第三孔とを設ける場合は、フックが第三孔に差し込まれるようにして扉を閉じれば、差し込まれたフックが第三孔の縁部に引っ掛かるため、風孔が開いた状態で扉が保持される。すなわち、風孔から燃焼室の下方に空気を送り込むことができるため、効果的に燃料を燃やすことができる。
【００１３】
また外周壁に、燃焼室を挟んで開口部に対向するとともに、上方に向けて開口する煙突部を設ける場合は、煙突部内の高温の空気が浮力によって上昇し、これに伴い煙突部の下方から燃焼室の空気が煙突部内に引込まれることになる。すなわち、燃焼室内に空気の流れが形成されるため、燃料を効率よく燃やすことができる。特に、上述した風孔が開いた状態になる構成を採用する場合は、燃料をより効果的に燃やすことができる。
【図面の簡単な説明】
【００１４】
【図１】本発明である焚き火台の一実施形態を示す、組み立てられた状態での正面からの斜視図である。
【図２】図１に示す焚き火台の背面からの斜視図である。
【図３】図１に示す焚き火台の分解斜視図である。
【図４】図１に示す焚き火台の前面板を示す図であって、（ａ）は正面図、（ｂ）は（ａ）に示すＡ−Ａに沿う断面図である。
【図５】図１に示す焚き火台の扉を示す図であって、（ａ）は正面図、（ｂ）は側面図、（ｃ）は背面図である。
【図６】図４（ｂ）に示す前面板と図５（ｂ）に示す扉を用いて扉の開閉状況を説明する図であって、（ａ）は扉を閉じた状態（風孔も閉じている）であり、（ｂ）は扉を上方に引き上げた状態であり、（ｃ）は扉を開いた状態であり、（ｄ）は扉を閉じた状態（風孔は開いている）である。
【図７】図４（ａ）に示す前面板と図５（ａ）に示す扉を用いて扉の開閉状況を説明する図であって、（ａ）は扉を閉じた状態（風孔も閉じている）であり、（ｂ）は扉を上方に引き上げた状態であり、（ｃ）は扉を開いた状態であり、（ｄ）は扉を閉じた状態（風孔は開いている）である。
【発明を実施するための形態】
【００１５】
以下、本発明に従う焚き火台の一実施形態について、図面を参照しながら説明する。なお、本明細書等における「上下」とは、図３において符号１で示す底板が下方に位置し、符号９で示す天板が上方に位置する状態での向きをいう。また、「前後」とは、図３において符号３で示す前面板が前方に位置し、符号５で示す背面板が後方に位置する状態での向きをいう。また「左右」とは、「前」から「後」に向かって焚き火台を視る際の向きをいう。
【００１６】
図１〜図３に示すように本実施形態の焚き火台は、底板１、側板２、前面板３、扉４、背面板５、背面カバー６、孔開き板７、ロストル８、天板９を備えている。なお、これらの部材は、主として薄い金属板（例えばステンレス板やチタン板）を使用し、溶接等は行わずに金属板を折り曲げることによって形成されている。ここで側板２、前面板３、背面板５は、組み立てられた際に焚き火台の外周壁をなすものであって、この外周壁の内側に燃焼室が形成される。
【００１７】
底板１は、概略、金属板の四隅を下方に折り曲げて箱状に形成されたものである。底板１の前方には、左右方向に延在する長孔１ａが２つ設けられている。また、底板１の後方にも、長孔１ａと同様の形状になる長孔１ｂが２つ設けられている。
【００１８】
側板２は、概略、金属板の上方、前方、後方を内側に折り曲げるとともに、下方の中央部を上方に向けて切り欠いた形態をなすものである。側板２の前方上部には、上方を解放した前側スリット２ａが設けられている。また、側板２の後方上部にも、前側スリット２ａと同様の形状になる後側スリット２ｂが設けられている。そして側板２の前方中間部には、内側に折り曲げた部分を切り欠いた形状になる前方切り欠き部２ｃが設けられていて、後方中間部には、前方切り欠き部２ｃと同様の形状になる後方切り欠き部２ｄが設けられている。また、側板２の下方中央部には、内側に向けて折り曲げられた後に上方へ向けて折り曲げられ、縦断面形状が上方を解放したコ字状になる折り曲げ部２ｅが設けられている。
【００１９】
前面板３は、概略、板状をなすものであって、図４に示すようにその上部には、縦断面形状がＬ字状になるように折り曲げられた上部差し込み部３ａが２つ設けられている。また、前面板３の下部には、上部差し込み部３ａと同様の形態になる下部差し込み部３ｂが２つ設けられている。また前面板３の中央部には、前面板３を貫通するとともに四隅が円弧状になる概略矩形状の前方開口部３ｃが設けられている。そして前方開口部３ｃの下部左側、及び下部右側には、前面板３を貫通するとともに縦長矩形状になる第一孔３ｄが対をなすように設けられている。また、第一孔３ｄの上方には、第一孔３ｄよりも上下方向の長さが短い矩形状の第二孔３ｅが一対設けられていて、更に第二孔３ｅの上方には、第三孔３ｆが一対設けられている。また、第一孔３ｄの左右方向外側には、下方を解放した前面板スリット３ｇが一対設けられている。そして前方開口部３ｃの下方には、前面板３を貫通する横長楕円状の前方風孔３ｈが、列をなすように複数設けられている。
【００２０】
扉４は、概略、板状をなすものであって、図５に示すようにその上部には、縦断面形状が下向き解放のコ字状になるように折り曲げられた摘まみ４ａが設けられている。また扉４の上部左側、及び上部右側には、後方に向けて折り曲げられ、その先端を下方に向けて膨出させたフック４ｂが対をなすように設けられている。そして扉４の下部左側、及び下部右側には、後方に向けて折り曲げられた支持片４ｃが対をなすように設けられている。ここで支持片４ｃには、左右方向外側に向けて突出する円柱状のストッパー４ｄが設けられていて、支持片４ｃの下部根元には、下方を解放した扉側スリット４ｅが設けられている。なお、図５では説明上、ストッパー４ｄを支持片４ｃに取り付けた状態で図示しているが、実際には、支持片４ｃを前面板３の第一孔３ｄに挿入した状態でストッパー４ｄを支持片４ｃに固定していて、前面板３と扉４とは、使用時において一部材として取り扱うことができるように構成されている。また、扉４の中央部には、ガラス４ｆが設けられている。なおガラス４ｆは、扉４に予め形成した矩形状貫通孔を塞ぐように設けられていて、箱状に形成された保持板４ｇを扉４の後方からリベット止めすることによって、扉４に固定されている。
【００２１】
背面板５は、概略、板状をなすものであって、その上部には、縦断面形状がＬ字状になるように折り曲げられた上部差し込み部５ａが２つ設けられている。また、背面板５の下部には、上部差し込み部５ａと同様の形態になる下部差し込み部５ｂが２つ設けられている。また背面板５の中央部には、背面板５を貫通し、概略矩形状をなすとともに上方隅部に傾斜部をもつ形態となる後方開口部５ｃが設けられている。また、後方開口部５ｃの下方には、背面板５を貫通する円形状の後方風孔５ｄが、列をなすように複数設けられている。そして、後方開口部５ｃの左右方向外側には、下方を解放した背面板スリット５ｅが一対設けられている。
【００２２】
背面カバー６は、概略、上方を解放した箱形に形成されるものである。背面カバー６の下方には、下方鍔部６ａが設けられている。また背面カバー６の左側及び右側には、側方鍔部６ｂが設けられている。
【００２３】
孔開き板７は、概略、中央部が前方に向けて突出するように折り曲げられた形態をなすものである。孔開き板７には、孔開き板７を貫通するとともに円形状、或いは楕円状となる多数の通気孔７ａが設けられている。また孔開き板７の左右方向外側には、下方を解放した孔開き板スリット７ｂが一対設けられている。
【００２４】
ロストル８は、複数の板を組み合わせてはしご形に形成されるものである。本実施形態では、前後方向に延在する２つの第一板８ａと、左右方向に延在する５つの第二板８ｂとで構成されている。なお、図示は省略するが、第一板８ａと第二板８ｂにはそれぞれスリットが設けられていて、スリット同士を差し込んで互いに嵌め込むことではしご形にして固定することができる。
【００２５】
天板９は、概略、金属板の四隅を下方に折り曲げて箱状に形成されたものである。天板９の後方には、天板９を貫通する矩形状の上方風孔９ａが一対設けられている。なお、図示は省略するが、天板９の下面前方には、長孔１ａの如き形態をなし、組み立てられた際に前面板３の上部差し込み部３ａが挿入される長孔が設けられている。また、天板９の下面後方には、長孔１ｂの如き形態をなし、組み立てられた際に背面板５の上部差し込み部５ａが挿入される長孔が設けられている。
【００２６】
このような構成になる本実施形態の焚き火台は、図３を参照して明らかなように、上述した部材単位で分解することができるため、これらの部材を重ね合わせてコンパクトなサイズで持ち運ぶことができる。
【００２７】
また、焚き火台として使用するにあたっては、図３に示すようにして組み立てを行う。具体的には、左側の側板２（右側の側板２から組み立て始めてもよい）の折り曲げ部２ｅを底板１の左側縁部の下方に引っ掛けつつ、底板１の左側端部を前方切り欠き部２ｃと後方切り欠き部２ｄに挿入して、左側の側板２と底板１とを組み合わせる。また、右側の側板２も同様にして底板１と組み合わせる。
【００２８】
次いで、前面板スリット３ｇを前側スリット２ａに差し込んで互いを嵌め合わせ、更に下部差し込み部３ｂを長孔１ａに差し込んで、前面板３を左右の側板２と組み合わせる。また背面板５は、背面カバー６が背面板５の外側に出るように組み合わせた後、背面カバー６とともに左右の側板２と組み合わせる。具体的には、前方から後方に向けて下方鍔部６ａを後方開口部５ｃに挿入して、背面カバー６を背面板５の外側に位置させる。この時、側方鍔部６ｂは背面板５に引っ掛かるため、背面カバー６は背面板５に保持される。そして、背面板５と孔開き板７を重ね合わせ、背面板スリット５ｅ及び孔開き板スリット７ｂを後方切り欠き部２ｄに差し込んで互いに嵌め合わせ、更に下部差し込み部５ｂを長孔１ｂに差し込んで、左右の側板２と組み合わせる。
【００２９】
その後は、はしご形に組み立てたロストル８を底板１に載置する。そして、上部差し込み部３ａを天板９の長孔（不図示）に差し込むとともに、上部差し込み部５ａを天板９の長孔（不図示）に差し込むことで、天板９を組み合わせることができる。なお、図２に示すように背面板５と背面カバー６を組み合わせることによって、組み立てられた焚き火台の後方には、上方に向けて開口する煙突部Ｃが形成される。
【００３０】
このような形態になる焚き火台において、図６（ａ）、図７（ａ）に示すように扉４を閉じた状態にすると、扉側スリット４ｅは、第一孔３ｄの縁部に差し込まれて互いに嵌め合わされ、また扉４を閉じた際に第二孔３ｅに差し込まれるフック４ｂは、第二孔３ｅの縁部に引っ掛かることになる。すなわち扉４は、上部と下部が前面板３に保持されることになるため、燃料を燃焼室で燃やして高温に曝されることがあっても、閉じた状態のまま維持される。
【００３１】
なお、扉４を開く際には、摘まみ４に指をかけて、図６（ｂ）、図７（ｂ）に示すように扉４を上方に持ち上げる。これにより、扉側スリット４ｅと第一孔３ｄの縁部との係合が解かれ、またフック４ｂと第二孔３ｅの縁部との係合も解かれることになる。その後は、図６（ｃ）、図７（ｃ）に示すように、扉４を前方に向けて揺動させることによって扉４を開くことができる。なお、開いた扉４は、略９０度回動した位置において、その下端部が前面板３の前面に当接し、ストッパー４ｄが前面板３の後面に当接するため、この位置で安定的に保持される。そしてこの状態にあっては、図７（ｃ）に示すように、扉４に隠れていた前方開口部３ｃが現出するため、前方開口部３ｃから燃料を補給することができる。
【００３２】
本実施形態の扉４は、図６（ｄ）、図７（ｄ）に示すようにして閉じる事も可能である。この状態にあっては、図６（ａ）、図７（ａ）に示す状態よりも上方に引き上げつつ、フック４ｂが第三孔３ｆに差し込まれるようにして扉４を閉じる。この時、フック４ｂは、第三孔３ｆの縁部に引っ掛かるため、扉４を閉じた状態で維持することができる。またこの状態にあっては、図７（ｄ）に示すように前方風孔３ｈが現出した状態で扉４が保持されるため、前方風孔３ｈから燃焼室の下方に空気を送り込むことができ、効果的に燃料を燃やすことができる。また燃料の燃え具合を抑えたい場合は、図６（ａ）、図６（ｂ）に示す位置で扉４を閉じれば、扉４によって前方風孔３ｈを閉じることができる。すなわち、扉４を閉じる位置を変えることによって、燃料の燃え具合を簡単に調整することが可能である。
【００３３】
特に本実施形態にあっては、図２に示すように、後方に煙突部Ｃが形成されることになるため、煙突部Ｃ内の高温の空気は浮力によって上昇し、これに伴い燃焼室の空気は、後方風孔５ｄや通気孔７ａを介して煙突部Ｃの下方から煙突部Ｃ内に引込まれることになる。すなわち、燃焼室内へは前方風孔３ｈから空気が取り込まれるため、前方風孔３ｈから燃焼室を通過し、後方風孔５ｄや通気孔７ａを介して煙突部Ｃから排気される空気の流れが形成されることになる。よってこの状態にあっては、燃料をより効果的に燃やすことができる。
【００３４】
本発明に従う焚き火台は、これまでに説明した実施形態に限られるものではなく、特許請求の範囲に従う範疇で種々の変更を加えたものも含まれる。例えばフック４ｂは、本実施形態のように左右方向に１つずつ設けることが好ましいが、１つであってもよい。
【符号の説明】
【００３５】
１：底板
１ａ：長孔
１ｂ：長孔
２：側板（外周壁）
２ａ：前側スリット
２ｂ：後側スリット
２ｃ：前方切り欠き部
２ｄ：後方切り欠き部
２ｅ：折り曲げ部
３：前面板（外周壁）
３ａ：上部差し込み部
３ｂ：下部差し込み部
３ｃ：前方開口部（開口部）
３ｄ：第一孔
３ｅ：第二孔
３ｆ：第三孔
３ｇ：前面板スリット
３ｈ：前方風孔（風孔）
４：扉
４ａ：摘まみ
４ｂ：フック
４ｃ：支持片
４ｄ：ストッパー
４ｅ：扉側スリット
４ｆ：ガラス
４ｇ：保持板
５：背面板（外周壁）
５ａ：上部差し込み部
５ｂ：下部差し込み部
５ｃ：後方開口部
５ｄ：後方風孔
５ｅ：背面板スリット
６：背面カバー
６ａ：下方鍔部
６ｂ：側方鍔部
７：孔開き板
７ａ：通気孔
７ｂ：孔開き板スリット
８：ロストル
８ａ：第一板
８ｂ：第二板
９：天板
９ａ：上方風孔
Ｃ：煙突部
【図１】
2018179324.tif 000003
【図２】
2018179324.tif 000004
【図３】
2018179324.tif 000005
【図４】
2018179324.tif 000006
【図５】
2018179324.tif 000007
【図６】
2018179324.tif 000008
【図７】
2018179324.tif 000009